【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
上部から下部へと増大する幅を持ち、上部により狭い部分及び底部により広い部分を有し、巻取り方向において柔軟性があるドアリーフと；
ドアを導く経路と；
多数のリーフ層同士が接触しないようにドアリーフを巻上げる及び下ろすための二つのモジュールと；
から成り、そのドアは幾つかのモジュールが設置された単一の回転シャフトを有していて、そしてその幾つかのモジュールは、同じ中心軸を有しており、及びドアが開く及び閉じる際にドアリーフのより狭い部分及びより広い部分が、モジュールのより小さい部分及びより大きい部分とそれぞれかみ合うように、連続的に放射状に拡大される、巻上げドア。
【請求項２】
回転シャフトはモジュールと連結されている、請求項１に記載の巻上げドア。
【請求項３】
上部から下部へと増大する幅を持ち、上部により狭い部分及び底部により広い部分を有し、巻取り方向において柔軟性があるドアリーフと；
ドアを導く経路と；
多数のリーフ層同士が接触しないようにドアリーフを巻上げる及び下ろすための二つのモジュールと；
から成り、そのモジュールはドアの各々の側部に設置されて、同じ中心軸を有しており、及びドアが開く及び閉じる際にドアリーフのより狭い部分及びより広い部分が、モジュールのより小さい部分及びより大きい部分とそれぞれかみ合うように、連続的に放射状に拡大され、各々のモジュールは連続する円錐形螺旋という外部形状を有している、巻上げドア。
【請求項４】
各々のモジュールは平行しているディスクのユニットである、請求項１に記載の巻上げドア。
【請求項５】
モジュールの表面に、又はドアリーフに直接取り付けられる防音機を有する、請求項１に記載の巻上げドア。
【請求項６】
上部から下部へと増大する幅を持ち、上部により狭い部分及び底部により広い部分を有し、巻取り方向において柔軟性があるドアリーフと；
ドアを導く経路と；
多数のリーフ層同士が接触しないようにドアリーフを巻上げる及び下ろすための二つのモジュールと；
から成り、そのモジュールはドアの各々の側部に設置されて、同じ中心軸を有しており、及びドアが開く及び閉じる際にドアリーフのより狭い部分及びより広い部分が、モジュールのより小さい部分及びより大きい部分とそれぞれかみ合うように、連続的に放射状に拡大され、
各々のモジュールは、平行しているディスクのユニットであり、及び、あるディスクにおいて最も大きい半径は次のより大きなディスクにおける最も小さい半径と同じである、巻上げドア。
【請求項７】
モジュールは硬い連続する表面を有している、請求項１に記載の巻上げドア。
【請求項８】
ドアリーフはモジュールに直接取り付けられる、請求項１に記載の巻上げドア。
【請求項９】
上部から下部へと増大する幅を持ち、上部により狭い部分及び底部により広い部分を有し、巻取り方向において柔軟性があるドアリーフと；
ドアを導く経路と；
多数のリーフ層同士が接触しないようにドアリーフを巻上げる及び下ろすための二つのモジュールと；
から成り、そのモジュールはドアの各々の側部に設置されて、同じ中心軸を有しており、及びドアが開く及び閉じる際にドアリーフのより狭い部分及びより広い部分が、モジュールのより小さい部分及びより大きい部分とそれぞれかみ合うように、連続的に放射状に拡大され、リーフは巻上げベルトを通してモジュールに間接的に取り付けられる、巻上げドア。
【請求項１０】
巻上げベルトはドアリーフの上部から底部へと取り付けられる、請求項９に記載の巻上げドア。
【請求項１１】
シャフトはドアリーフの最初の回転を伝え、そしてモジュールは前記リーフの続く回転を伝える、請求項２に記載の巻上げドア。
【請求項１２】
上部から下部へと増大する幅を持ち、上部により狭い部分及び底部により広い部分を有し、巻取り方向において柔軟性があるドアリーフと；
ドアを導く経路と；
多数のリーフ層同士が接触しないようにドアリーフを巻上げる及び下ろすための二つのモジュールと；
から成り、そのモジュールはドアの各々の側部に設置されて、同じ中心軸を有しており、及びドアが開く及び閉じる際にドアリーフのより狭い部分及びより広い部分が、モジュールのより小さい部分及びより大きい部分とそれぞれかみ合うように、連続的に放射状に拡大され、ドアリーフの端部はモジュールの螺旋形をした外形と連続的に適合するように形作られている、巻上げドア。
【請求項１３】
ドアリーフの端部はディスクのユニットの外形と適合するように階段状になっている、請求項４に記載の巻上げドア。
【請求項１４】
一つの段及び二つのディスクのユニットを持つドアリーフを有する、請求項４に記載の巻上げドア。
【請求項１５】
二つの段及び三つのディスクのユニットを持つドアリーフを有する、請求項４に記載の巻上げドア。
【請求項１６】
ドアリーフの段の数、及びディスクの数と寸法はドアの高さに比例している、請求項４に記載の巻上げドア。
【請求項１７】
ドアリーフは柔軟性シート材である、請求項１に記載の巻上げドア。
【請求項１８】
ドアリーフの材料はラミネートにされるか、増強されるか、又はフィルム状の構造をしている、請求項１７に記載の巻上げドア。
【請求項１９】
ドアリーフは巻取り方向に柔軟性を与える、一続きの連結された実質的に硬いスラットである、請求項１に記載の巻上げドア。
【請求項２０】
スラットは金属、重合体又は増強された材料、若しくはそれらの組み合わせから成る、請求項１９に記載の巻上げドア。
【請求項２１】
スラットは表面構造を有している、請求項１９に記載の巻上げドア。
【請求項２２】
ドアリーフはリーフの主な部分のほかに、特質を有する少なくとも一つの部を含む、請求項１に記載の巻上げドア。
【請求項２３】
部は窓である、請求項２２に記載の巻上げドア。
【請求項２４】
ドアリーフは上部から底部へとドアの幅が増大するのに対応する端部部分を有している、請求項１に記載の巻上げドア。
【請求項２５】
スラットは挿入された端部部分を有している、請求項１９に記載の巻上げドア。
【請求項２６】
上部から下部へと増大する幅を持ち、上部により狭い部分及び底部により広い部分を有し、巻取り方向において柔軟性があるドアリーフと；
ドアを導く経路と；
多数のリーフ層同士が接触しないようにドアリーフを巻上げる及び下ろすための二つのモジュールと；
から成り、そのモジュールはドアの各々の側部に設置されて、同じ中心軸を有しており、及びドアが開く及び閉じる際にドアリーフのより狭い部分及びより広い部分が、モジュールのより小さい部分及びより大きい部分とそれぞれかみ合うように、連続的に放射状に拡大され、
そのドアリーフは巻取り方向に柔軟性を与える、一続きの連結された実質的に硬いスラットであり、
そのスラットは挿入された端部部分を有しており、及びその端部部分は巻上げベルトに取り付けられる、巻上げドア。
【請求項２７】
端部部分は風用のアンカーを含む、請求項２５に記載の巻上げドア。
【請求項２８】
密封要素はスラットの間に据えられる、請求項１９に記載の巻上げドア。
【請求項２９】
密封要素は機械的連結、又は接着剤から成る、請求項２８に記載の巻上げドア。
【請求項３０】
密封要素はまた、スラット間の防音機としても働く、請求項２８に記載の巻上げドア。
【請求項３１】
密封要素はドアの側面からスラットの間に挿入される、請求項２８に記載の巻上げドア。
【請求項３２】
密封要素はドアの内側巻取り側から挿入される、請求項２８に記載の巻上げドア。
【請求項３３】
傷ついた要素は、ドアが実質的に閉じられている位置にある間に、ドアの内側巻取り側から交換されることが可能である、請求項１に記載の巻上げドア。
【請求項３４】
スラットは挿入された端部部分を有しており、及びその端部部分は巻上げベルトに取り付けられており、
破損したとき、傷ついたスラットは、巻上げベルトが正しい位置にある間に、ドアの内部巻取り側から交換されることが可能である、請求項１９に記載の巻上げドア。
【請求項３５】
少なくとも一つの安全端部、センサー、引張りシステム、及び重量平衡システムを更に含む、請求項１に記載の巻上げドア。
【請求項３６】
上部から下部へと増大する幅を持ち、上部により狭い部分及び底部により広い部分を有し、巻取り方向において柔軟性があるドアリーフを設ける工程と；
ドアを導く経路を設ける工程と；
ドアリーフを巻上げる及び下ろすための二つのモジュール、そのモジュールとドアリーフは接触するけれども多数のリーフ層同士は接触しない、そのような二つのモジュールを設ける工程と；
から成り、そのモジュールはドアの各々の側部に設置されて、同じ中心軸を有しており、及びドアが開く及び閉じる際にドアリーフのより狭い部分及びより広い部分が、モジュールのより小さい部分及びより大きい部分とそれぞれかみ合うように、連続的に放射状に拡大される、引き上げドアを組み立てる方法。